(57)【特許請求の範囲】
【請求項１】
分電盤に組み込まれる回路遮断器の使用状態が適正な状態であるか否かを確認操作するための回路遮断器に設けられた安全装置であって、
該安全装置は、
分電盤において回路遮断器や該回路遮断器に電力を供給する母線が取り付けられる取付板に対して回路遮断器が正しく取り付けられているか否かを該回路遮断器外部から視認できるものであり、
回路遮断器を取付板に取付固定又は取付解除するために該回路遮断器の底面から突出する、しないを外部つまみで取付板の方向に押下げ、又は引き上げ操作されることにより択一的に選択するロックレバーと一体に形成されて、
前記底面側から回路遮断器の入切を操作する操作ハンドルが設けられた前面側に該ロックレバーから延出される延出部と、
該延出部の端部に設けられた表示部とを備え、
回路遮断器が正しい取付位置にあってロックレバーが嵌合部に嵌合していない場合には、
前記表示部がロックレバーと連動して回路遮断器の筐体前面側から外部に突出することにより、回路遮断器外部から表示部を視認できることを特徴とする回路遮断器の安全装置。
【請求項２】
回路遮断器の筐体に、
前記安全装置における延出部と表示部とが前記ロックレバーと連動しうるよう、それぞれ摺動自在に嵌合支持する支持部を設け、
前記ロックレバーが回路遮断器の底面から突出している場合は表示部の摺動部分が支持部に隠蔽される一方、
突出していない場合は表示部の摺動部分が支持部から露出し、
回路遮断器前方から表示部が視認できることを特徴とする請求項１記載の回路遮断器の安全装置。
【請求項３】
前記表示部の前面側端部に押圧部を設け、
前記ロックレバーが回路遮断器の底面から突出していない場合に回路遮断器の筐体前面側から突出する表示部の押圧部を回路遮断器の底面方向に押圧することにより、
前記延出部を介してロックレバーに押圧力が伝達されて、
ロックレバーが回路遮断器の底面から突出し取付板の嵌合部に嵌合することを特徴とする請求項１又は請求項２記載の回路遮断器の安全装置。
【請求項４】
前記外部つまみの側面側及び底面側に前記外部つまみの移動軌跡を避けて囲繞部を形成することを特徴とする請求項１乃至請求項３記載の内何れか１項に記載の回路遮断器の安全装置。
【請求項５】
前記囲繞部の一部として少なくとも前記外部つまみの底面側に、前記母線から回路遮断器を取り外す方向に突出したリブを形成することを特徴とした請求項４記載の回路遮断器の安全装置。
【発明の詳細な説明】
【技術分野】
【０００１】
本発明は、分電盤に組み込まれる回路遮断器の安全装置に関し、特に、回路遮断器の使用状態が適正な状態であるか否かを確認可能な回路遮断器に設けられた安全装置に関する。
【背景技術】
【０００２】
分電盤に組み込まれる回路遮断器等の内部機器は、内部機器本体を取付板に取り付けて用いる。特許文献１の図１には、回路遮断器を取付板に対して取り付け、取り外しする構造が示されている。この構造によれば、次のように取付板に回路遮断器の取り付け取り外しを行う。
【０００３】
回路遮断器１のロックレバー７の係止部７０３が回路遮断器底面より突出しない状態にしておき、取付板の突出部ａ９、突出部ｂ１０の間に遮断器がくるように、また４の爪部ｂが遮断器の６の凹部ｂの開口部にくるように取付板の上に載置する。この時点では爪部３、４と遮断器の凹部５、６はかみ合っていない。次に回路遮断器１を母線１１、１２の方向にスライドさせていくと母線１１、１２がプラグイン端子金具１５、１６に差し込まれていき、取付板に設けられた爪部３及び爪部４がそれぞれ回路遮断器の凹部５、凹部６と嵌合する。なお、ロックレバー７は枠部７０１内を図の上端部と下端部に選択的に指掛部７０２をもって操作でき、それにより係止部７０３が底面から突出したり突出しなかったりするものである。
【０００４】
この状態では、回路遮断器は特許文献１の図１の上方向（取付板に対する鉛直方向）と側面方向の動きが規制されるが、回路遮断器は母線１１，１２から遠い方向（遮断器の負荷側方向）へは取り外し可能である。
【０００５】
次にロックレバー７の指掛部７０２を指で取付板の方向に押圧すると、係止部７０３が回路遮断器の底面より突出し、取付板の嵌合部８に嵌合する。これにより母線から回路遮断器を取り外す方向の動きを規制することができ、取付板２に回路遮断器１が取り付けが完了した状態となる。
【０００６】
回路遮断器１を取付板２から取り外す場合は、ロックレバー７の指掛部７０２を取付板と反対の方向に指で引き上げ、嵌合部８とロックレバー７の係止部７０３との嵌合を解除する。次に回路遮断器１を母線１１、１２と反対の方向に引き抜くように移動させることにより、爪部３、及び爪部４と凹部５及び凹部６との嵌合が外れる。この状態で回路遮断器１を取付板から持ち上げると取付板２から取り外すことができる。
【０００７】
このような回路遮断器の取り付け構造においては、プラグインタイプの回路遮断器１を分電盤に設けられた取付板２に取り付けるために、取付板２と鉛直な方向の動きを規制する爪部３及び爪部４を取付板２に設けるとともに前記爪部３、４とそれぞれ対応する凹部５、及び凹部６を回路遮断器１に設け、取付板２に設けられた母線１１、１２から回路遮断器１を取り外す方向の動きを規制するロックレバー７を回路遮断器１に設けるとともに取付板２には前記ロックレバー７が嵌合する嵌合部８を設け、回路遮断器の側面を位置規制する突出部９及び突出部１０を取付板２に設けたために、プラグインタイプの回路遮断器を取付板と平行にスライドさせながら取り付けることが可能となり、分電盤内に電線を引き回す場合にもロックレバー７の指掛部は回路遮断器の負荷側側面からわずかしか突出していないため電線被覆を傷付ける恐れがないものである。また、回路遮断器の取り外しに工具を用いる必要がなく、工具を携帯しておく必要性もない取付構造を提供するものである。
【０００８】
このように回路遮断器等の内部機器が取り付けられた分電盤を、壁面などを構成する造営材に取付施工するとき、一般的には、前記壁面内から分電盤を取り付ける側に引き出されている電線を、分電盤のボックスに設けられた配線孔から一旦ボックス内に引き込み、その状態で壁面方向に分電盤のボックスを押し当てていき、該ボックスを壁面の所定位置にあてがったうえでねじ止めにより取付けを行っている。
【０００９】
分電盤のボックス内には、主開閉器や分岐開閉器などの内部機器を取付板に取付けて構成された中底が取り付けされており、分電盤を壁面に取付け施工する場合、前記ボックス内に電線を引き込んだ状態で壁面方向に分電盤のボックスを押し当てていくと、前記電線の先端や側面の被覆部が前記中底に当接し、互いに摺動することにより、中底は壁面に分電盤を押し当てていく方向とは逆の方向に押し戻されるように力を受けることがある。
通常、前記取付板などの中底は、ボックス内にねじ止め固定されており、前述したように壁面に分電盤のボックスを押し当てていく方向とは逆の方向に押し戻されるように力を受けた場合であってもボックスからは外れないものとなっている。
【先行技術文献】
【特許文献】
【００１０】
【特許文献１】特開２００２−１５０９１１号公報
【発明の概要】
【発明が解決しようとする課題】
【００１１】
ところで、昨今では、製品安全に対する取り組みが従来に増して重要視されてきている。回路遮断器並びに回路遮断器を組み込む分電盤にあっては、電力会社から供給される電気を各分岐回路に供給する役割を持っている一方、回路遮断器は配線を電気事故から保護する保安の役割も持っており、使用に当たっては正しく分電盤に取り付けられた状態で使用される必要がある。
【００１２】
分電盤における取付板に回路遮断器が正しく取り付けられているか否かを確認する場合、分電盤を構成する全面側のカバーを開き、回路遮断器の並び具合が適正に配置されているか否かを目視確認することに加え、前述のロックレバーが取付板の方向に適正に押下げられた状態であるか否かを目視確認する。
【００１３】
しかしながら、ロックレバーは回路遮断器の底面近く取付板近傍、回路遮断器における電線差込孔よりも底面側に位置するものであるから、ロックレバーの状態を確認する場合には、工場出荷前にあっては、分電盤において取付板が載置されるケース内部を覗き込むようにして順次目視確認していく必要があり確認作業に時間を要していた。また、分電盤を設置する現場にあっては、回路遮断器に電線を配線する前に確認する場合には同じくケース内部を覗き込むようにして目視確認していくが、電線を配線した後に再び確認する場合には、配線した電線が、ロックレバーを目視するための妨げとなり、電線を避けながら確認作業を行うこととなり、確認作業が行いにくく、ロックレバーの状態が適正でない場合、即ち回路遮断器の使用状態が適正でない場合には、電線を掻き分けたうえでロックレバーにアクセスし、ロックレバーを取付板に押下げる操作が必要となり、確認作業や修正作業に時間を要するものとなっていた。
【００１４】
また、分電盤を壁面などの造営材に取付施工するとき、壁面から引き出された電線により、取付板が、壁面に分電盤のボックスを押し当てていく方向とは逆の方向に押し戻されるように力を受けることがあり、稀に、ボックスの配線孔から引き込んだ電線の先端や側面の被覆がロックレバーの前記指掛部７０２に当接し、壁面に分電盤のボックスを押し当てていくときに、ロックレバーが底面から突出しない方向に押し戻され、抜け止めが解除されるおそれがあった。
【００１５】
ロックレバーによる抜け止めが解除された状態では、回路遮断器は、取付板と鉛直な方向及び並設方向への位置の規制は行われるが、電源側端子から負荷側端子方向への抜け止めの規制が行われず、電源側端子が母線から外れるおそれがある。
【００１６】
壁面に分電盤を押し当てる前の初期状態ではロックレバーは回路遮断器の底面から突出して回路遮断器の抜け止めがなされた状態であるから、分電盤を壁面に押し当てることによりロックレバーが解除されたということには気付きにくく、そのまま負荷側端子に電線を接続して使用を開始してしまうと、経年的な使用や振動等に伴い、回路遮断器が母線から外れて、若しくは外れかけて、母線と端子の接触不良や端子部の異常発熱、停電の発生など、種々の電気的な不良が発生するおそれがある。
【００１７】
分電盤を壁面に押し当てることによりロックレバーが解除されたということは、電線を配線した後に再びロックレバーの状態を確認する場合においては、特に気付きにくく、ロックレバーの状態が適正でないことを見落としてしまうおそれがあった。
【００１８】
そこで、本発明は、上記課題に鑑みてなされたもので、分電盤における内部機器の取付板に回路遮断器が取り付けられた状態で、なおかつ電線が配線された状態においても、回路遮断器を取付板に取り付け固定するロックレバーの位置を簡易確実に目視確認でき、分電盤を壁面などの造営材に取付施工するとき、壁面などから分電盤を取り付ける側に引き出されている電線が、中底を構成する取付板に取り付けられている内部機器に当接、摺動して、内部機器と取付板との取付ロックが外れるおそれを極力低減し、しかも、ロックレバーの修正作業が必要になった時には簡単に修正操作しうる回路遮断器の安全装置を提供することを目的とする。
【課題を解決するための手段】
【００１９】
本発明に係る回路遮断器の安全装置は、上述の課題を解決すべく構成されたもので、分電盤に組み込まれる回路遮断器の使用状態が適正な状態であるか否かを確認操作するための回路遮断器に設けられた安全装置であって、該安全装置は、分電盤において回路遮断器や該回路遮断器に電力を供給する母線が取り付けられる取付板に対して回路遮断器が正しく取り付けられているか否かを該回路遮断器外部から視認できるものであり、回路遮断器を取付板に取付固定又は取付解除するために該回路遮断器の底面から突出する、しないを外部つまみで取付板の方向に押下げ、又は引き上げ操作されることにより択一的に選択するロックレバーと一体に形成されて、前記底面側から回路遮断器の入切を操作する操作ハンドルが設けられた前面側に該ロックレバーから延出される延出部と、該延出部の端部に設けられた表示部とを備え、回路遮断器が正しい取付位置にあってロックレバーが嵌合部に嵌合していない場合には、前記表示部がロックレバーと連動して回路遮断器の筐体前面側から外部に突出することにより、回路遮断器外部から表示部を視認できることを特徴として回路遮断器の安全装置を構成するとよい。
【００２０】
かかる構成によれば、回路遮断器が正しい取付位置にあってロックレバーが前記嵌合部に嵌合していない場合には、前記表示部が、ロックレバーと連動して回路遮断器の筐体前面側から外部に突出することにより、回路遮断器外部から表示部を視認できるため、分電盤の工場出荷前後、回路遮断器への電線配線前後に関わらず、回路遮断器を取付板に取り付け固定するロックレバーの位置を簡易なおかつ確実に目視確認できる回路遮断器の安全装置を提供することができる。
【００２１】
また、本発明に係る回路遮断器の安全装置は、回路遮断器の筐体に、前記安全装置における延出部と表示部とが前記ロックレバーと連動しうるよう、それぞれ摺動自在に嵌合支持する支持部を設け、前記ロックレバーが回路遮断器の底面から突出している場合は表示部の摺動部分が支持部に隠蔽される一方、突出していない場合は表示部の摺動部分が支持部から露出し、回路遮断器前方から表示部が視認できることを特徴として回路遮断器の安全装置を構成するとよい。
【００２２】
かかる構成によれば、前記ロックレバーが回路遮断器の底面から突出している場合は表示部の摺動部分が支持部に隠蔽される一方、突出していない場合は表示部の摺動部分が支持部から露出するから、回路遮断器の前方からロックレバーの位置の判別をより簡易確実に行うことができる。
【００２３】
また、本発明に係る回路遮断器の安全装置は、前記表示部の前面側端部に押圧部を設け、前記ロックレバーが回路遮断器の底面から突出していない場合に回路遮断器の筐体前面側から突出する表示部の押圧部を回路遮断器の底面方向に押圧することにより、前記延出部を介してロックレバーに押圧力が伝達されて、ロックレバーが回路遮断器の底面から突出し取付板の嵌合部に嵌合することを特徴として回路遮断器の安全装置を構成するとよい。
【００２４】
かかる構成によれば、ロックレバーが底面から突出していない場合には、表示部における押圧部を押下げることによりロックレバーと取付板とを嵌合させることができるから、ロックレバーの修正作業が必要になった時には簡単に修正操作しうる回路遮断器の安全装置を提供することができる。
【００２５】
また、本発明に係る回路遮断器の安全装置は、外部つまみの側面側及び底面側に前記外部つまみの移動軌跡を避けて囲繞部を形成することを特徴として構成するとよい。
【００２６】
かかる構成によれば、分電盤のボックスを壁面に押し当てていくときに、電線が中底を構成する取付板に取り付けられている内部機器に当接、摺動しても、外部つまみの周囲の囲繞部によって、電線が該外部つまみに当接することが防止され、回路遮断器と取付板との取付ロックが外れて内部機器が外れやすくなることを防止できる。
【００２７】
また、本発明に係る回路遮断器の安全装置は、前記囲繞部の一部として少なくとも前記外部つまみの底面側に、前記母線から回路遮断器を取り外す方向に突出したリブを形成して構成するとよい。
【００２８】
かかる構成によれば、周囲を全体的に囲繞する場合と比べ、囲繞部の大きさを小さくでき、回路遮断器を構成する器体に必要な樹脂を少なくして、電線が該外部つまみに当接することを防止することができる。
【発明の効果】
【００２９】
以上の如く、本発明によれば、分電盤における内部機器の取付板に回路遮断器が取り付けられた状態で、なおかつ電線が配線された状態においても、回路遮断器を取付板に取り付け固定するロックレバーの位置を簡易確実に目視確認でき、分電盤を壁面などの造営材に取付施工するとき、壁面などから分電盤を取り付ける側に引き出されている電線が、中底を構成する取付板に取り付けられている内部機器に当接、摺動して、内部機器と取付板との取付ロックが外れるおそれを極力低減し、しかも、ロックレバーの修正作業が必要になった時には簡単に修正操作しうる回路遮断器の安全装置を提供することができる。
【図面の簡単な説明】
【００３０】
【図１】本発明の実施形態を示す回路遮断器の外観構成図を示す。
【図２】本発明の回路遮断器と取付板の外観構成図を示す。
【図３】本発明の回路遮断器を底面側からみた図を示す。
【図４】本発明の安全装置の全体斜視図を示す。
【図５】本発明の安全装置と回路遮断器との摺動状態図を示す。
【図６】本発明の実施形態を示す回路遮断器の要部内部構成図を示す。
【図７】図７の要部断面図を示す。
【図８】本発明の安全装置の動作状態を背面側からみた図を示す。
【図９】本発明の実施形態を示す回路遮断器の第二の外観構成図を示す。
【図１０】本発明の安全装置と回路遮断器との取り付け関係図を示す。
【図１１】本発明の回路遮断器を背面側からみた図を示す。
【図１２】本発明の第二の実施形態を示す回路遮断器の外観構成図を示す。
【図１３】本発明の第二の実施形態を示す回路遮断器のロックレバー部分の拡大図を示す。
【図１４】本発明の第二の実施形態を示す回路遮断器の要部側面視の図を示す。
【図１５】本発明の第二の実施形態を示す回路遮断器の要部底面視の図を示す。
【発明を実施するための形態】
【００３１】
次に本発明の実施形態を図面を用いて詳細に説明する。
【００３２】
（実施形態）
図１は、本発明における安全装置を備えた回路遮断器１の外観斜視図である。回路遮断器１は、本体外殻が長手方向に分割構成される筐体１０１、１０２により形成される。該回路遮断器１は、電源と接続される電源側接続端子、該電源接続端子と接続される接点、該接点を開閉する接点開閉機構、異常電流が発生したときには接点開閉機構に作用して回路を切動作させる自動遮断機構、負荷側回路に電源を供給する負荷側接続端子等が筐体の内部に設けられ、前記接点開閉機構を筐体の外部から入切操作する操作ハンドル１０３が筐体の前面側に設けられている。１０５、１０６は回路遮断器１の負荷側端子に電線を接続するための電線挿入孔である。電源側接続端子はプラグインタイプの端子を用い、負荷側接続端子は鎖錠接続端子を用いて構成している。
【００３３】
また、回路遮断器１の電源側端子側を正面側、負荷側端子側を背面側、操作ハンドル１０３が設けられた側を前面側、後述する取付板に取り付けられる側を底面側とする。背面側には、安全装置１０４が設けられる。
【００３４】
図２には、回路遮断器１を取り付ける取付板２を示している。取付板２は、回路遮断器等の内部機器や該内部機器に電力を供給する母線２０１、２０２、２０３が取り付けられるものである。
【００３５】
取付板２には、回路遮断器１を取り付けたときに回路遮断器と作用し合い、回路遮断器の前面側−底面側の方向の動きを規制する第一の規制部２０４、２０５と、正面側−背面側の方向の動きを規制する第二の規制部２０６とが設けられている。
【００３６】
第一の規制部２０４は、取付板２の一部を切り起こして形成したものであり、端部が係合片となっている。回路遮断器１側には、図３に示したように回路遮断器１の底面側に前記第一の規制部が嵌り込む凹部１０７と、凹部の底面側に設けられて前記係合片と作用し合う係合片１０８が設けられている。回路遮断器１の取付板２への取り付け時に、夫々の係合片が係合することにより、回路遮断器の背面側において前面側−底面側の方向の動きが規制される。
【００３７】
第一の規制部２０５は、取付板に突出形成したものであり、回路遮断器１の正面側には前記第二の規制部２０５の突出部が嵌り込む凹部（図示しない）が形成されている。これら突出部と凹部が係合することにより、回路遮断器の正面側において前面側−底面側の方向の動きが規制される。回路遮断器の正面側と背面側の両方において前面側−底面側の方向の動きを規制するため、より確実に取付板に固定することができる。
【００３８】
第二の規制部２０６は、取付板２の一部を凹状に曲げ加工して凹部を形成したものである。回路遮断器１の背面側には、回路遮断器１の底面から突出する、しないを外部つまみ１０４２により択一的に選択するロックレバー１０４１が設けられており、回路遮断器１の底面から突出したロックレバー１０４２が前記第二の規制部２０６の凹部に嵌り込み、互いに嵌合することにより、回路遮断器の正面側−背面側の方向の動きが規制される。
【００３９】
取付板２に回路遮断器１を取り付けるときには、回路遮断器１を取付板２の上で母線の方向にスライドさせていくことにより、母線が電源側端子に差し込まれていくと同時に、前記第一の規制部２０４、２０５が回路遮断器１の係合片１０８、（図示しない）前記凹部と係合することにより、取付板２上の適正な位置に回路遮断器１が載置される。そして、前記ロックレバー１０４１の外部つまみ１０４２を取付板２の方向に押下げることにより、回路遮断器１の底面からロックレバー１０４１が突出して取付板２の凹部と嵌合し、取り付けが完了する。
【００４０】
取付板２から回路遮断器１を取り外すときには、前記ロックレバー１０４１の外部つまみ１０４２を取付板と反対の方向（回路遮断器１の前面側）に引き上げて、ロックレバー１０４１を底面から突出しない状態にし、回路遮断器１を背面側に引き抜くように移動させることにより、前記第一の規制部１０４、２０５と回路遮断器との係合が外れると同時に母線と接続端子の接続が解かれ、取り外しが完了する。
【００４１】
また、ロックレバー１０４１には、該ロックレバー１０４１の回路遮断器１の底面から突出する位置、しない位置が択一的に決まるよう、弾性的に形成された弾性腕部１０４６が形成されており、図６、図７に示したように、筐体１０１、１０２の背面−底面側の内部に前記弾性腕部と摺動する乗り越え突起１０１２、１０２２が形成されている。ロックレバーの外部つまみ１０４２を操作して、ロックレバーを取付板の方向に押下げ／前面側に引き上げる場合に、前記弾性腕部が撓みながら乗り越え突起１０１２、１０２２を乗り越えることにより、ロックレバーの位置が択一的に決まり、位置が保持される。
【００４２】
また、ロックレバー１０４１には、底面側が取付板に対して斜面となった台形状乗り越え突起１０４７が形成されている。回路遮断器を取付板２に載置しようとした場合に、例えばロックレバー１０４１が回路遮断器の底面から突出したままで回路遮断器を母線の方向にスライドさせていくと、前記斜面が取付板２に押し付けられる力がロックレバー１０４１を前面側に押し上げる力に変換されてロックレバー１０４１が前面側に押し上げられる。このとき、弾性腕部１０４６が前記乗り越え突起１０１２、１０２２を乗り越えてしまわない程度の位置関係になっていれば、スライドが進み、取付板２の凹部嵌合部にロックレバー１０４１が差し掛かったときには、前面側に押し上げられる力がなくなるとともに、弾性腕部１０４６が元の突出状態に戻ろうとする力が働き、ロックレバー１０４１は回路遮断器１の底面から突出し、外部つまみを押下げる必要なく、取り付けが完了する。
【００４３】
次に安全装置１０４について説明を行う。図４に安全装置の外観斜視図を示した。安全装置１０４は、ロックレバー１０４１と一体に形成されて、回路遮断器の底面側から前面側に向けてロックレバーから延出される延出部１０４３と、該延出部の端部に設けられた表示部１０４４とを備える。また、表示部１０４４の前面側端部には押圧部１０４５が形成されている。延出部１０４３には、該延出部の一部の肉が掘り込むことにより摺動部１０４８を形成している。該摺動部１０４８は、図５の要部断面図に示した筐体側に形成された摺動部１０１１と摺動され、安全装置１０４の動作の際にガイドの役割を果たすものである。
【００４４】
前記表示部１０４４は、筐体に設けられた筒状の支持部１０１２、１０２２により表示部１０４４が筒状の支持部の内側を摺動自在に支持される。
【００４５】
図８に示したように、安全装置１０４における表示部１０４４は、ロックレバー１０４１が底面から突出する場合には、前記支持部に隠蔽され、ロックレバー１０４１が底面から突出しない場合には、前記支持部から筐体外部の前面側に突出する。
【００４６】
次に、図１、図９、図１０、図１１を参照して、安全装置１０４の動作を説明する。まず、ロックレバー１０４１が底面から突出しない状態では、表示部１０４４は筐体の支持部から筐体の前面側に突出した状態となっている。回路遮断器１を取付板２に載置して、母線側にスライドさせ、前記第一の規制部２０４、２０５と係合片１０８とが係合した状態（ステップ１）では、取付板に対して回路遮断器の取り付け位置は適正な位置になっている。この状態からロックレバー１０４１の外部つまみ１０４２を取付板の方向に押下げて、ロックレバー１０４１を底面から突出させると（ステップ２）、表示部１０４４が筐体の支持部に隠蔽された状態となり、取付板に対する回路遮断器の取り付けが完了する。
【００４７】
さて、取付板１に回路遮断器１を複数並設配置させていく場合に万が一、前記ステップ１のままで取付作業を終えてしまったものがある場合、出荷前の点検時や施工時の点検時に分電盤のカバーを空けて前面側からの目視確認を行うことにより、適正に取り付けられていない回路遮断器があることを容易に気付くことができる。即ち、前記表示部１０４４が筐体の外部前面側に突出している場合には、ロックレバーが押下げられていないことを容易に気付くことができる。
【００４８】
この状態で、前記ステップ２を実施すべくロックレバーを押下げる場合には、表示部１０４４に設けられた押圧部１０４５を押圧することにより、延出部１０４３を介してロックレバー１０４１に力を伝達することができ、ロックレバーを押下げることができる。特に、現場での配線作業を完了した後において、ステップ１のままで取付作業を終えてしまったものがある場合には、配線を掻き分けて、ロックレバー１０４１の外部つまみ１０４２を押下げる必要がなく、安全性を担保できることに加えて施工時の利便性の向上が期待できる。
【００４９】
また、安全装置１０４における延出部１０４３は、正面側から背面側に掛けて細くなる略三角形状に形成されている。これは、負荷側の電線挿入孔１０５、１０６に電線を差し込む場合に、電線挿入孔に電線を導きやすくするものである。また、互いの電線挿入孔に差し込まれる電線同士を接触しにくくするための絶縁壁としての作用も持ち合わせたものである。
【００５０】
（実施形態２）
次に、この発明の第２の実施形態として、前記外部つまみ１０４２の周囲に配設した囲繞部に着目して図１２乃至図１５を用いて説明する。
【００５１】
外部つまみ１０４２の周囲には、該外部つまみ１０４２の移動を妨げることがないように、前記上下方向の移動軌跡を避けて囲繞部１０９が構成されている。該囲繞部１０９は、安全装置１０４の外部つまみ１０４２の側面側１０９ｃ，１０９ｄ，及び底面側１０９ａ，１０９ｂに、回路遮断器の器体の一部にリブを形成することにより構成している。
【００５２】
本実施形態においては、囲繞部１０９を構成する底面側の１０９ａ部と１０９ｂ部を、回路遮断器の負荷側端子部に接続される電線が底面側から入り込まない程度に離間させて構成している。これは、回路遮断器の器体が並設方向において分割される構成となっており、それぞれの器体に設けた囲繞部同士の嵌合に所定の余裕度を持たせたためである。なお、底面側の１０９ａ部と１０９ｂ部を離間させずに密着させて構成してもよい。
【００５３】
また、囲繞部１０９の底面側の１０９ａ部と１０９ｂ部は器体の中央部に進むにつれて前記外部つまみ１０４２との間隔が大きくなるように構成している。これにより、該外部つまみ１０４２を持って安全装置１０４を引き上げる場合に、指が囲繞部１０９と外部つまみの間に入り込みやすくなる。
【００５４】
なお、前記外部つまみ１０４２の前記前面側に、前記底面側の囲繞部に対向させて囲繞部を形成して、外部つまみ１０４２のぐるりを囲むように囲繞部を構成してもよい。これにより、底面側、側面側に加えて前面側からの異物の進入を防止することができる。
【００５５】
前記囲繞部１０９を形成するリブの高さは、図１４、図１５に示したように、回路遮断器１の並設方向から該回路遮断器１を臨む側面視にて、前記外部つまみ１０４２が前記囲繞部１０９の外方に突出しない程度に設けられている。また、回路遮断器１の取付面側から回路遮断器１を臨む底面視にて、前記外部つまみ１０４２が前記囲繞部１０９の外方に突出しない程度に設けられている。
【００５６】
このように構成された回路遮断器が取り付けられた取付板を備えた分電盤を、壁面に取付施工するとき、壁面内から分電盤を取り付ける側に引き出されている電線を、分電盤のボックスに設けられた配線孔から一旦ボックス内に引き込む。そして、壁面方向に電線を引き込んだ分電盤のボックスを押し当てていくと、電線が中底に当接し摺動することにより、中底が壁面に分電盤を押し当てていく方向とは逆の方向に押し戻されるように力を受ける。
【００５７】
このとき、中底は、ボックス内にねじ止め固定されているから、ボックスからは外れることがない。また、回路遮断器１は取付板２に対して鉛直方向、側面方向、そして母線から回路遮断器を取り外す方向の三方向の動きを規制されているから、回路遮断器に電線が当接して摺動しても該回路遮断器は中底から外れることがない。
【００５８】
さらに、指掛部７０２近傍においては、囲繞部７０４が設けられており、前記指掛部７０２は、囲繞部７０４の外方には突出していないので、電線は指掛部７０２に当接する前に囲繞部７０４に当接し、指掛部７０２には電線が直接当接したり摺動したりせず、母線から回路遮断器を取り外す方向の解除がなされるおそれがなくなる。
【００５９】
母線から回路遮断器を取り外す方向の解除がなされない限りは、回路遮断器１は取付板２に対して鉛直方向、側面方向の規制が解除されず、取付板２から回路遮断器１が母線から外れて、若しくは外れかけて、母線と端子の接触不良や端子部の異常発熱、停電の発生など、種々の電気的な不良が発生するおそれがない。
【００６０】
また、回路遮断器１を取付板２から取り外す場合においては、安全装置１０４の外部つまみ１０４２を取付板と反対の方向に指で引き上げ、嵌合部２０６とロックレバー１０４１の係止部との嵌合を解除する。このとき、囲繞部１０９の底面側の１０９ａ部と１０９ｂ部は器体の中央部に進むにつれて前記外部つまみ１０４２との間隔が大きくなるように構成しているので、該外部つまみ１０４２を引き上げる場合に、指が囲繞部１０９と外部つまみの間に入り込みやすい。
【００６１】
また、前記安全装置における表示部１０４４及び押圧部１０４５において、一部を折り曲げ形状とした第二の外部つまみ１０４９を形成して構成するとよい。これにより、回路遮断器１の前面側から、ロックレバー７を押し下げることに加え、引き上げる操作も行うことができ、回路遮断器１の取り付け、取り外し時の更なる利便性の向上が期待できる。
【００６２】
尚、本発明は、上記実施形態に限定されるものではなく、本発明の要旨を逸脱しない範囲で種々の変更が可能である。
【００６３】
例えば、前記表示部１０４４を着色し、前記支持部１０１２、１０２２から表示部が突出している場合には、外部から視認しやすく形成してもよい。
また、表示部１０４４の前記支持部１０１２、１０２２からの突出量がより大きくなるよう形成し、前記ステップ１の状態のままであることを目立ちやすくしてもよい。
この他、延出部１０４３を背面側に伸ばし、極間の絶縁性能を高めるよう形成してもよい。
【００６４】
また、図１３（ｂ）におけるロックレバー１０４が押し下げられた状態で露出する壁面部１１０に着色や文字表示、図形表示を行い、正常に押し下げられたときに壁面部１１０に表示された文字や図形、若しくは着色部が露出するようにして、ロックの状態を視認し得るように構成してもよい。壁面部１１０は、回路遮断器１を構成する器体の一部を突出させて形成するとよい。
【００６５】
また、実施形態では、回路遮断器の側面を位置規制する手段として、取付板２に設けた突出部２０７による例を示したが、前記第一の規制部２０４と凹部１０７との嵌合方向を、回路遮断器の電源側と負荷側とを結ぶ方向の嵌合に加え、回路遮断器の並設方向の嵌合も行えるよう、凹部１０７において並設方向の嵌合部を形成し、該爪部と凹部の並設方向の寸法を略同等に設定することで、回路遮断器の側面を位置規制する突出部２０７に代えて、並設方向の動きを規制することができる。なお、突出部２０７と合わせてより強固に規制する構造としてもよい。
【００６６】
また、嵌合部２０６は取付板２の端部を折り曲げて形成された例で説明したが、係止部１０４１の大きさに見合った穴としてもよく、穴と係止部の並設方向の寸法を略同等に設定することで、回路遮断器の側面を位置規制する突出部２０７に代えて、並設方向の動きを規制することができる。なお、突出部２０７と合わせてより強固に規制する構造としてもよい。さらに、回路遮断器は電源側端子がプラグインの構造の例で説明したが、通常のねじ端子でも実施でき、これらは、本発明の要旨を逸脱しない範囲で適宜変更可能である。
【符号の説明】
【００６７】
１  回路遮断器
１０１  筐体
１０２  筐体
１０１２  支持部
１０２２  支持部
１０３  操作ハンドル
１０４  安全装置
１０４１  ロックレバー
１０４２  外部つまみ
１０４３  延出部
１０４４  表示部
１０４５  押圧部
１０４６  弾性腕部
１０４７  台形状乗り越え突起
１０４８  摺動部
１０５  電線挿入孔
１０６  電線挿入孔
１０７  凹部
１０８  係合部
１０９  囲繞部
１１０  壁面部
２  取付板
２０１  母線
２０２  母線
２０３  母線
２０４  第一の規制部
２０５  第一の規制部
２０６  第二の規制部
２０７  突出部
【図１】
0005590735.tif 000002
【図２】
0005590735.tif 000003
【図３】
0005590735.tif 000004
【図４】
0005590735.tif 000005
【図５】
0005590735.tif 000006
【図６】
0005590735.tif 000007
【図７】
0005590735.tif 000008
【図８】
0005590735.tif 000009
【図９】
0005590735.tif 000010
【図１０】
0005590735.tif 000011
【図１１】
0005590735.tif 000012
【図１２】
0005590735.tif 000013
【図１３】
0005590735.tif 000014
【図１４】
0005590735.tif 000015
【図１５】
0005590735.tif 000016